(57)【要約】【課題】使い勝手が良く、盗難防止の効果の著しい向上を期待することができるドロワ装置を提供する。【解決手段】ドロワ６が半開位置に位置付けられた状態では、上蓋２１はドロワ筐体１により開放方向を規制されて収納部１４ｂとの間にスリット状の挿入口Ｓ１を形成し、ドロワ６の全開状態では、上蓋２１は付勢部材２３により収納部１４ｂを開放する方向に付勢されて収納部１４ｂの内部を露出させる。これにより、ドロワ６が半開位置に位置付けられた状態では、収納部１４ｂに収納された高額紙幣（例えば、一万円札）を外部に露出させずにスリット状の挿入口Ｓ１からの紙幣の挿入が許容される。また、ドロワ６の全開状態では、上蓋２１は付勢部材２３により収納部１４ｂを開放する方向に付勢されるので、収納部１４ｂに収納された高額紙幣（例えば、一万円札）を容易に回収することができる。【選択図】　　　　図５
2004030256.tif 000002
【特許請求の範囲】
【請求項１】
上面開口の収納部を有するドロワをドロワ筐体に対して引出自在に収納したドロワ装置において、
前記収納部の開口に対して開閉自在に設けられ、当該収納部を開放する方向に付勢部材により付勢された上蓋と、
前記ドロワが全開状態になる前の半開位置で、引き出し方向に移動する前記ドロワを一旦停止させる半開位置停止手段と、
を備え、
前記半開位置停止手段により前記ドロワが半開位置に位置付けられた状態では、前記上蓋は前記ドロワ筐体側の部材により開放方向を規制されて前記収納部との間にスリット状の挿入口を形成し、前記ドロワの全開状態では、前記上蓋は前記付勢部材により前記収納部を開放する方向に付勢されて前記収納部の内部を露出させることを特徴とするドロワ装置。
【請求項２】
前記半開位置停止手段は、引き出し方向に移動する前記ドロワを複数段階で一旦停止可能とすることを特徴とする請求項１記載のドロワ装置。
【請求項３】
前記上蓋は、前記半開位置停止手段の一部を構成することを特徴とする請求項１記載のドロワ装置。
【請求項４】
収納された硬貨を選択的に金種別に搬送して硬貨払出口に払い出すようにした硬貨払出部に併設されることを特徴とする請求項１ないし３のいずれか一記載のドロワ装置。
【発明の詳細な説明】
【０００１】
【発明の属する技術分野】
本発明は、ＰＯＳ（Ｐｏｉｎｔ　ｏｆ　Ｓａｌｅｓ：販売時点管理）端末やＥＣＲ（ＥｌｅｃｔｒｉｃＣａｓｈ　Ｒｅｇｉｓｔｅｒ）等の商品販売データ処理装置による商品売上処理に関連して金銭（特に、紙幣）を出し入れするためのドロワ装置に関する。
【０００２】
【従来の技術】
一般に、ＰＯＳ端末等に用いられるドロワ装置の引出し（ドロワ）の内部には、硬貨を収納するための硬貨収納部や、紙幣を収納するための紙幣収納部が設けられている。このような引出しは、通常はロック機構によりロックされてドロワ装置のドロワ筐体内に収納されているものであるが、商品の売上登録を終了した場合に操作される締めキー等からの信号によりロック機構のロックが解除され、これによりドロワ装置に内蔵されたバネ等からの力を受けて引出しが開放される。
【０００３】
また、このように引出しを開放する場合に、引出しをドロワ筐体から一挙に全開放状態にするのではなく半開状態にした後、手動により引き出して全開状態にするようにしたドロワ装置がある。これは、少額の取引を行う場合には硬貨による金銭の授受が行われる頻度が高いため、このような場合には引出しを全開放しなくても硬貨収納部のみを開放することで金銭の収納及び釣銭の取り出しを行うことができることや、引出しのドロワ筐体内への収納操作の負担を軽減化するためである。また、紙幣収納部の高額紙幣が人の目に触れないようにして犯罪を防止するという意味合いや、バネ等によって付勢されて飛び出した引出しの衝撃を和らげるという意味合いもある。
【０００４】
【発明が解決しようとする課題】
しかしながら、前述したような引出しを半開状態又は全開状態に開放させる２段階開放方式を採用したドロワ装置であっても、高額紙幣を紙幣収納部に収納する際においては引出しを全開状態にしなければならないため、紙幣収納部に収納する際に既に収納されている高額紙幣を露出させることになる。このように高額紙幣を露出してしまうと、キャッシャのみならず公衆によっても取り出しやすい状態となってしまい、防犯効果が低下することになる。
【０００５】
本発明は、使い勝手が良く、盗難防止の効果の著しい向上を期待することができるドロワ装置を提供することを目的とする。
【０００６】
【課題を解決するための手段】
本発明は、上面開口の収納部を有するドロワをドロワ筐体に対して引出自在に収納したドロワ装置において、前記収納部の開口に対して開閉自在に設けられ、当該収納部を開放する方向に付勢部材により付勢された上蓋と、前記ドロワが全開状態になる前の半開位置で、引き出し方向に移動する前記ドロワを一旦停止させる半開位置停止手段と、を備え、前記半開位置停止手段により前記ドロワが半開位置に位置付けられた状態では、前記上蓋は前記ドロワ筐体側の部材により開放方向を規制されて前記収納部との間にスリット状の挿入口を形成し、前記ドロワの全開状態では、前記上蓋は前記付勢部材により前記収納部を開放する方向に付勢されて前記収納部の内部を露出させる。
【０００７】
したがって、例えば最も高額で利用頻度が低い高額紙幣（例えば、一万円札）を収納する収納部の開口に対し、当該収納部を開放する方向に付勢部材により付勢された上蓋を開放閉止自在に設けた場合、ドロワが半開位置に位置付けられた状態では、収納部に収納された高額紙幣（例えば、一万円札）を外部に露出させずにスリット状の挿入口からの紙幣の挿入が許容される。また、ドロワの全開状態では、上蓋は付勢部材により収納部を開放する方向に付勢されるので、収納部に収納された高額紙幣（例えば、一万円札）を容易に回収することが可能になる。
【０００８】
なお、便宜上、ドロワが全開状態になる前の位置を半開位置というが、必ずしもドロワが半分だけ開いた状態を示すものではない。
【０００９】
【発明の実施の形態】
本発明の第一の実施の形態を図１ないし図７に基づいて説明する。本実施の形態のドロワ装置は、商品販売データ処理装置であるＰＯＳ端末（図示せず）に接続して使用されるドロワ機能付き硬貨払出装置のドロワ部に適用されている。
【００１０】
ここで、図１は第一の実施の形態のドロワ機能付き硬貨払出装置Ｘの外観を示す斜視図である。ドロワ機能付き硬貨払出装置Ｘは、大きく分けると硬貨払出部Ａとドロワ部Ｂとで構成されており、これらの硬貨払出部Ａとドロワ部Ｂとは並べて配設されている。なお、硬貨払出部Ａの筐体（第一の筐体）とドロワ部Ｂの筐体（第二の筐体）とは、一体に形成されているものとする。
【００１１】
まず、硬貨払出部Ａについて説明する。硬貨払出部Ａの筐体である装置ケース１の右側手前には、硬貨を一括して投入する上方に開口した硬貨投入口２が設けられている。この硬貨投入口２には、投入された硬貨を奥側（装置ケース１の内部）に向けて搬送する投入口ベルト２ａが設けられている。硬貨投入口２に投入された硬貨は、この投入口ベルト２ａを含む硬貨搬送機構（図示せず）を介し、装置ケース１の内部に設けられている硬貨収納部（図示せず）へと搬送される。このような硬貨収納部は、１円・５円・１０円・５０円・１００円・５００円等の硬貨を金種毎に収納するものである。
【００１２】
一方、装置ケース１の左側手前には、上面が開口した筐体状の硬貨払出口３が配置されている。この硬貨払出口３は、硬貨収納部から硬貨払出機構（図示せず）を介して払い出した釣り銭分の硬貨を落下させる硬貨払出位置の下方（本実施の形態においては、硬貨払出部Ａの高さ方向の略中央付近）に設けられているとともに、左側（つまり、ドロワ部Ｂ側）に偏位させて設けられている。また、この硬貨払出口３の上方には、表示器４及び各種の操作キー５が設けられている。なお、硬貨払出機構は、ＰＯＳ端末のＣＰＵ（Ｃｅｎｔｒａｌ　Ｐｒｏｃｅｓｓｉｎｇ　Ｕｎｉｔ）等のデータ制御手段（図示せず）に接続されており、このデータ制御手段の所定の出力データ（釣り銭データ）に従って釣り銭分の硬貨を払い出すようになっている。
【００１３】
次に、ドロワ部Ｂについて説明する。ドロワ部Ｂは、紙幣を収納するための上面が開口した扁平なボックス状に形成されたドロワ６（図２参照）を前面開口のドロワ部Ｂのドロワ筐体である装置ケース１に対して引出・収納自在に収納したものである。なお、本実施の形態のドロワ部Ｂの装置ケース１には二つの矩形開口８が形成されており、これらの二つの矩形開口８に対して二つのドロワ６が積層されて備えられている。例えば、これらのドロワ６は紙幣等を収納するために用いられる。
【００１４】
より詳細には、図２に示すように、装置ケース１の内側面とドロワ６の外側面とには、スライド自在に係合するガイドレール９，１０とガイドローラ１１，１２とが形成されており、これらのガイドレール９，１０とガイドローラ１１，１２との作用により、装置ケース１の内部に矩形開口８からドロワ６をスライド自在に配置している。
【００１５】
さらに、ドロワ部Ｂのドロワ６には、マネーケース１３が収納・取り出し自在に備えられている。マネーケース１３には、複数に区分けされた収納部１４が設けられている。より詳細には、収納部１４は、キャッシャから見て手前側が札押え２０を備えて紙幣を収納する二つの紙幣収納部１４ａと、二つの紙幣収納部１４ａの奥側に設けられる補助収納部１４ｂとで構成されている。例えば、上部に配置されるドロワ６の紙幣収納部１４ａには五千円札及び千円札が収納され、下部に配置されるドロワ６の紙幣収納部１４ａには二千円札や千円札等の予備紙幣が収納される。また、補助収納部１４ｂは、上部に配置されるドロワ６と下部に配置されるドロワ６とでは用途は異なるが、上部に配置されるドロワ６の補助収納部１４ｂは、最も高額で利用頻度が低い高額紙幣（例えば、一万円札）を収納するのに用いられる。そして、詳細は後述するが、一万円札等の高額紙幣を収納するのに用いられる上部に配置されるドロワ６の補助収納部１４ｂには、この補助収納部１４ｂを覆う上蓋２１が設けられている。
【００１６】
このようなドロワ部Ｂには、装置ケース１の内部でドロワ６を前方に付勢するコイルスプリング１５や、このコイルスプリング１５で付勢されたドロワ６を装置ケース１の内部に閉止状態に保持するドロワロック１６等が、装置ケース１の内部後方に設けられている。このドロワ部Ｂのドロワロック１６は、ＰＯＳ端末のＣＰＵ等のデータ制御手段に接続されており、このデータ制御手段の所定の出力データに従って装置ケース１に閉止したドロワ６を開放するようになっている。
【００１７】
次に、上部に配置されるドロワ６の補助収納部１４ｂに設けられる上蓋２１の取り付け構造と、当該上蓋２１に対する関連部分とについて説明する。
【００１８】
図３は、上部に配置されるドロワ６を示す縦断側面図である。図３に示すように、上部に配置されるドロワ６の補助収納部１４ｂに設けられる上蓋２１は、補助収納部１４ｂに対して支軸２２により開閉自在に軸支されている。また、上蓋２１と補助収納部１４ｂとの間には付勢部材であるねじりバネ２３が備えられており、上蓋２１は、このねじりバネ２３の作用により補助収納部１４ｂを開放する方向に付勢されている。したがって、上部に配置されるドロワ６については、ねじりバネ２３の付勢力に抗して上蓋２１を押し下げながら矩形開口８から装置ケース１の内部へと挿入することになる。また、このような上蓋２１の上面であってキャッシャ側には、半球形状の突起である凸部２４が形成されている。
【００１９】
図４は、装置ケース１の内部を部分的に示す縦断側面図である。図４に示すように、装置ケース１の天板１ａの矩形開口８の近傍には、上蓋２１の上面に形成された半球形状の突起である凸部２４をねじりバネ２３の付勢力により弾発的に係合させるための半球形状の凹みである凹部２５が形成されている。
【００２０】
次に、上蓋２１の上面に形成された半球形状の突起である凸部２４と、装置ケース１の天板１ａの矩形開口８の近傍に形成された半球形状の凹みである凹部２５との作用について説明する。図５（ａ）に示すように、上部に配置されるドロワ６は、通常、装置ケース１の内部に挿入されている状態にある。このような状態で、キャッシャがＰＯＳ端末を用いて商品売上処理を順次実行するとともに商品売上処理が完了した時点で締め処理を宣言した場合には、ＰＯＳ端末のＣＰＵ等のデータ制御手段は、締め処理を実行するとともに、ドロワ部Ｂにドロワ開放信号を出力する。加えて、ＰＯＳ端末のＣＰＵ等のデータ制御手段は、締め処理の終了後、締め処理により算出された釣り銭データを硬貨払出部Ａに出力する。
【００２１】
釣り銭データを受信した硬貨払出部Ａは、硬貨払出機構により釣り銭データに従った釣り銭分の硬貨を硬貨払出口３に払い出すことになる。
【００２２】
一方、ドロワ開放信号を受信したドロワ部Ｂのドロワロック１６は、コイルスプリング１５の弾発力に抗したドロワ６の閉止を解除するので、このドロワ６はコイルスプリング１５の弾発力で装置ケース１から引き出し方向にスライドすることになる。
【００２３】
このようにドロワ６が引き出し方向にスライドする場合、補助収納部１４ｂに設けられる上蓋２１の凸部２４はねじりバネ２３の付勢力により装置ケース１の天板１ａに接触しながら摺動することになるので、その摩擦力によりスライド速度は徐々に低下することになる。そして、補助収納部１４ｂに設けられる上蓋２１の凸部２４が装置ケース１の天板１ａの矩形開口８の近傍に形成された凹部２５に達したところで、図５（ｂ）に示すように、この凹部２５に上蓋２１の凸部２４が係合し、装置ケース１から引き出されたドロワ６が停止するようになっている。図５（ｂ）に示すように、ドロワ６の停止位置（半開位置）は、紙幣収納部１４ａのみが露出する位置である。このようにすることで、ドロワ６の紙幣収納部１４ａが露出して紙幣の出し入れが自在になる。ここに、半開位置停止手段が実現されている。このように上蓋２１が半開位置停止手段の一部を構成することにより、装置構造を簡素化することができる。
【００２４】
ここで、図６はドロワ６を半開位置に位置付けた状態のドロワ機能付き硬貨払出装置Ｘを示す外観斜視図である。図６に示すように、装置ケース１の天板１ａの矩形開口８の近傍に形成された凹部２５に上蓋２１の凸部２４が係合した結果、上蓋２１は装置ケース１により開放方向を規制され、補助収納部１４ｂと上蓋２１との間には幅の狭いスリット状の挿入口であるスリットＳ１が生じる。このスリットＳ１が、補助収納部１４ｂに対する紙幣挿入口となる。つまり、この状態において、顧客から受け取った高額紙幣（例えば、一万円札）は、スリットＳ１から補助収納部１４ｂの内部に速やかに収納される。
【００２５】
なお、ＰＯＳ端末からの出力データに基づくドロワロック１６の開放により同時に引き出される下部に配置されるドロワ６については、上蓋２１を有していないため、ドロワを半開状態又は全開状態に開放させる２段階開放方式の周知の手法を用いて、半開位置に位置付けさせる。
【００２６】
ところで、上部に配置されるドロワ６の補助収納部１４ｂに収納されている高額紙幣（例えば、一万円札）を回収する場合には、上部に配置されるドロワ６を手動により引き出す。上部に配置されるドロワ６を手動により引き出すと、補助収納部１４ｂに設けられる上蓋２１の凸部２４はねじりバネ２３の弾性により装置ケース１の天板１ａに形成された凹部２５を乗越えることができるので、図７に示すように、補助収納部１４ｂを露出させることができる。この場合、上蓋２１はねじりバネ２３の付勢力により上方に全開状態となることにより、補助収納部１４ｂに収納されている高額紙幣（例えば、一万円札）を容易に回収することができる。
【００２７】
ここに、ドロワ６が半開位置に位置付けられた状態では、上蓋２１は装置ケース１により開放方向を規制されて補助収納部１４ｂとの間にスリットＳ１を形成し、ドロワ６の全開状態では、上蓋２１はねじりバネ２３により補助収納部１４ｂを開放する方向に付勢されて補助収納部１４ｂの内部を露出させる。これにより、ドロワ６が半開位置に位置付けられた状態では、補助収納部１４ｂに収納された高額紙幣（例えば、一万円札）を外部に露出させずにスリットＳ１からの紙幣の挿入が許容される。また、ドロワ６の全開状態では、上蓋２１はねじりバネ２３により補助収納部１４ｂを開放する方向に付勢されるので、補助収納部１４ｂに収納された高額紙幣（例えば、一万円札）を容易に回収することが可能になる。
【００２８】
すなわち、本実施の形態のドロワ部Ｂは、使い勝手が良く、盗難防止の効果の著しい向上を期待することができる。
【００２９】
なお、本実施の形態のドロワ部Ｂにおいては、ＰＯＳ端末のＣＰＵ等のデータ制御手段から出力信号に基づき、積層された二つのドロワ６をそれぞれ開放するようにしたがこれに限るものではなく、上下いずれか一方のドロワ６のみを開放するようにしても良い。この場合には、開放したいドロワ６側にのみ、コイルスプリング１５やドロワロック１６を備えれば良い。例えば、上蓋２１を備える補助収納部１４ｂを有すると共に二つの紙幣収納部１４ａに五千円札及び千円札を収納する下側のドロワ６のみを開放するようにした場合には、二つの紙幣収納部１４ａに二千円札や千円札等の予備紙幣を収納する上側のドロワ６は、手動で開閉するようにすれば良い。
【００３０】
また、万券キー（図示せず）が操作された場合には、上蓋２１を備える補助収納部１４ｂを有するドロワ６のみを開放するようにすれば良い。
【００３１】
さらに、本実施の形態においては、硬貨払出部Ａの筐体とドロワ部Ｂの筐体とをそれぞれ一体化して形成したが、これに限るものではなく、各筐体（第一の筐体、第二の筐体）をそれぞれ別体で形成するようにしても良い。
【００３２】
次に、本発明の第二の実施の形態を図８ないし図１１に基づいて説明する。本実施の形態のドロワ装置は、商品販売データ処理装置であるＰＯＳ端末（図示せず）に接続して使用されるドロワ装置に適用されている。
【００３３】
ここで、図８は第二の実施の形態のドロワ装置Ｙを概略的に示す分解斜視図である。ドロワ装置Ｙは、前面開口の箱型のドロワ筐体である装置ケース１０５を有しており、この装置ケース１０５の両側壁１０６の内面には、レール１０７が水平方向に配設されている。そして、装置ケース１０５の奥部には、ロック機構１０８の一部を構成するソレノイド１０９が取り付けられており、このソレノイド１０９には、支軸１１０に回動自在に取り付けられた係止爪１１１が連結されている。また、装置ケース１０５の底面１１２の奥部には、フレーム１１３が立設されており、このフレーム１１３の前面側には、圧縮スプリング１１４が取り付けられている。
【００３４】
ついで、ドロワ１０３の両側面には、レール１０７により案内される転動ローラ１１５が取り付けられている。このような機構により、ドロワ１０３は装置ケース１０５に対して前後方向（開閉方向）に進退自在とされている。
【００３５】
また、ドロワ１０３の背面１１６は、圧縮スプリング１１４に圧接され、収納状態ではその圧縮スプリング１１４により開放方向に付勢されている。また、背面１１６には係止爪１１１に係止する突起１１７が突出形成されている。なお、係止爪１１１は、図示しないねじりバネ等によって突起１１７に係止する方向に付勢されている。つまり、ソレノイド１０９に通電して係止爪１１１を反時計方向に回動させると突起１１７に対するロックが解除され、ドロワ１０３が圧縮スプリング１１４による付勢力を受けて装置ケース１０５から引き出されるように開放方向に移動し、ドロワ１０３を装置ケース１０５内に押し込むと係止爪１１１が再び突起１１７に係止することにより、収納状態にロックされることになる。
【００３６】
このドロワ１０３には、手前側に６個の硬貨収納部１１８が設けられ、奥側には３個の紙幣収納部１１９が設けられている。これらの硬貨収納部１１８及び紙幣収納部１１９は、一体的に形成されている。紙幣収納部１１９は、札押え１２３を備えて紙幣を収納する三つの紙幣収納部１１９ａと、一つの補助収納部１１９ｂとで構成されている。補助収納部１１９ｂは、最も高額で利用頻度が低い高額紙幣（例えば、一万円札）を収納するのに用いられる。そして、詳細は後述するが、一万円札等の高額紙幣を収納するのに用いられる補助収納部１１９ｂには、この補助収納部１１９ｂを覆う上蓋１２４が設けられている。
【００３７】
次に、補助収納部１１９ｂに設けられる上蓋１２４の取り付け構造について説明する。図９は、ドロワ１０３を示す縦断側面図である。図９に示すように、ドロワ１０３の補助収納部１１９ｂに設けられる上蓋１２４は、補助収納部１１９ｂに対して支軸１２５により開閉自在に軸支されている。また、上蓋１２４と補助収納部１１９ｂとの間には付勢部材であるねじりバネ１２６が備えてられており、上蓋１２４は、このねじりバネ１２６の作用により補助収納部１１９ｂを開放する方向に付勢されている。したがって、ドロワ１０３については、ねじりバネ１２６の付勢力に抗して上蓋１２４を押し下げながら装置ケース１０５の内部へと挿入することになる。
【００３８】
また、ドロワ装置Ｙには、ドロワ１０３の底面１２０の下部の奥側にブレーキブロック１２１が設けられている。つまり、このブレーキブロック１２１は、ドロワ１０３の開放・収納動作に合わせて移動することになる。加えて、装置ケース１０５の底面１１２上であって、ブレーキブロック１２１の移動軌跡に干渉する位置には、ブレーキブロック１２２が設けられている。これらのブレーキブロック１２１及びブレーキブロック１２２は、ドロワ１０３を開放する際に当接することにより、ドロワ１０３を紙幣収納部１１９が部分的に露出する半開位置で一旦停止させて半開状態とするものである。なお、手動操作によりドロワ１０３をさらに引き出すことにより、ブレーキブロック１２１はブレーキブロック１２２を乗越え可能とされている。すなわち、ブレーキブロック１２１及びブレーキブロック１２２は、ドロワ１０３の開放当初は紙幣収納部１１９に収納された紙幣が露出するほどにはドロワ１０３を開放させないようにするためのものであり、盗難防止に重要な役割を果たす。そして、紙幣の出し入れが必要な場合には、半開状態のドロワ１０３をキャッシャが手動操作で全開位置まで引き出して、奥側の紙幣収納部１１９に対する紙幣の出し入れが可能な状態にする。即ち、ドロワ１０３を半開状態又は全開状態に開放させる２段開放方式とされている。
【００３９】
次に、上蓋１２４の作用について説明する。図１０（ａ）に示すように、ドロワ１０３は、通常、装置ケース１０５の内部に挿入されている状態にある。このような状態で、キャッシャがＰＯＳ端末を用いて商品売上処理を順次実行するとともに商品売上処理が完了した時点で締め処理を宣言した場合には、ＰＯＳ端末のＣＰＵ等のデータ制御手段は、締め処理を実行するとともに、ドロワ装置Ｙにドロワ開放信号を出力する。
【００４０】
ドロワ開放信号を受信したドロワ装置Ｙのロック機構１０８は、圧縮スプリング１１４の弾発力に抗したドロワ１０３の閉止を解除するので、このドロワ１０３は圧縮スプリング１１４の弾発力で装置ケース１０５から引き出し方向にスライドすることになる。
【００４１】
このようにドロワ１０３が引き出し方向にスライドする場合、補助収納部１１９ｂに設けられる上蓋１２４はねじりバネ１２６の付勢力により装置ケース１０５に接触しながら摺動することになるので、その摩擦力によりスライド速度は徐々に低下することになる。そして、図１０（ｂ）に示すように、ブレーキブロック１２１とブレーキブロック１２２とが当接することにより、装置ケース１０５から引き出されたドロワ１０３が停止するようになっている。図１０（ｂ）に示すように、ドロワ１０３の停止位置（半開位置）は、紙幣収納部１１９のほほ半分が露出する位置である。このようにすることで、ドロワ１０３の硬貨収納部１１８が露出して硬貨の出し入れが自在になる。また、ドロワ１０３がこの位置で停止していてもドロワ１０３内の紙幣収納部１１９ａはある程度露出した状態であるので、この紙幣収納部１１９ａから紙幣を取り出すことは容易である。ここに、半開位置停止手段が実現されている。
【００４２】
また、このように半開位置に位置付けられている状態では、図１０（ｂ）に示すように、上蓋１２４は装置ケース１０５により開放方向を規制され、補助収納部１１９ｂと上蓋１２４との間には幅の狭いスリット状の挿入口であるスリットＳ２が生じる。このスリットＳ２が、補助収納部１１９ｂに対する紙幣挿入口となる。つまり、この状態において、顧客から受け取った高額紙幣（例えば、一万円札）は、スリットＳ２から補助収納部１１９ｂの内部に速やかに収納される。
【００４３】
ところで、ドロワ１０３の補助収納部１１９ｂに収納されている高額紙幣（例えば、一万円札）を回収する場合には、ドロワ１０３を手動により引き出す。ドロワ１０３を手動により引き出すと、ブレーキブロック１２１はブレーキブロック１２２を乗越えることができるので、図１１に示すように、補助収納部１１９ｂを露出させることができる。この場合、上蓋１２４はねじりバネ１２６の付勢力により上方に全開状態となることにより、補助収納部１１９ｂに収納されている高額紙幣（例えば、一万円札）を容易に回収することができる。
【００４４】
ここに、ドロワ１０３が半開位置に位置付けられた状態では、上蓋１２４は装置ケース１０５により開放方向を規制されて補助収納部１１９ｂとの間にスリットＳ２を形成し、ドロワ１０３の全開状態では、上蓋１２４はねじりバネ１２６により補助収納部１１９ｂを開放する方向に付勢されて補助収納部１１９ｂの内部を露出させる。これにより、ドロワ１０３が半開位置に位置付けられた状態では、補助収納部１１９ｂに収納された高額紙幣（例えば、一万円札）を外部に露出させずにスリットＳ２からの紙幣の挿入が許容される。また、ドロワ１０３の全開状態では、上蓋１２４はねじりバネ１２６により補助収納部１１９ｂを開放する方向に付勢されるので、補助収納部１１９ｂに収納された高額紙幣（例えば、一万円札）を容易に回収することが可能になる。
【００４５】
すなわち、本実施の形態のドロワ装置Ｙは、使い勝手が良く、盗難防止の効果の著しい向上を期待することができる。
【００４６】
次に、本発明の第三の実施の形態を図１２ないし図１７に基づいて説明する。本実施の形態のドロワ装置は、商品販売データ処理装置であるＰＯＳ端末（図示せず）に接続して使用されるドロワ装置に適用されている。
【００４７】
ここで、図１２は第三の実施の形態のドロワ装置Ｚを概略的に示す外観斜視図、図１３はドロワ２０３を示す縦断側面図である。ドロワ装置Ｚは、一側面が開口されたドロワ筐体である装置ケース２０２に、ドロワ２０３が引き出し自在に収納された構造となっている。ドロワ２０３は、上面を開口した箱体で、この箱内に、硬貨が収納される硬貨収納部２０５及び、箱内を仕切ることで紙幣の収納部２０７を券種ごとに形成する間仕切板２０８が設けられている。また、底面には、間仕切板２０８に立設支持された紙幣の位置ずれを防止する凹凸２０３ａが形成されている。ドロワ２０３で紙幣を収納する場合、紙幣は、横長の状態で斜めに紙幣収納部２０７内に投入される。すると、この紙幣は、間仕切板２０８に支持されて底面の凹凸２０３ａに保持された状態で紙幣収納部２０７内に収納される。さらに、このドロワ２０３は、その前面に、商品券等を箱内に収納するスリット２１０が形成されている。
【００４８】
硬貨収納部２０５は、複数の金種別収納箱２０５ｂに仕切られている。この金種別収納箱２０５ｂは、底面に溜っている硬貨を取り出しやすいように底面から手前側上端にかけて滑らかな曲線で形成されている。また、この硬貨収納部２０５は、ドロワ２０３よりも浅く形成されており、取付状態において、ドロワ２０３の底面との間に隙間を形成するようにされている。
【００４９】
キャッシャから見て最も奥側に位置する紙幣収納部２０７には、紙幣収納部２０７を覆う上蓋２１８が設けられている。キャッシャから見て最も奥側に位置する紙幣収納部２０７は、最も高額で利用頻度が低い高額紙幣（例えば、一万円札）を収納するのに用いられる。図１３に示すように、ドロワ２０３の紙幣収納部２０７に設けられる上蓋２１８は、紙幣収納部２０７に対して支軸２１９により開閉自在に軸支されている。また、上蓋２１８と紙幣収納部２０７との間には付勢部材であるねじりバネ２２０が備えてられており、上蓋２１８は、このねじりバネ２２０の作用により紙幣収納部２０７を開放する方向に付勢されている。したがって、ドロワ２０３については、ねじりバネ２２０の付勢力に抗して上蓋２１８を押し下げながら装置ケース２０２の内部へと挿入することになる。
【００５０】
ドロワ２０３の両側面には、外側に突出するガイドレール２１１が設けられており、このガイドレール２１１及びガイドローラ（図示せず）により、ドロワ２０３は装置ケース２０２にスライド自在に連結されている。
【００５１】
また、図１４に示すように、装置ケース２０２の奥部には、ロック機構２１２の一部を構成するソレノイド２１３が取り付けられており、このソレノイド２１３には、支軸２１４に回動自在に取り付けられた係止爪２１５が連結されている。また、装置ケース２０２の奥部には、フレーム２１６が立設されており、このフレーム２１６の前面側には、圧縮スプリング２１７が取り付けられている。
【００５２】
さらに、ドロワ装置Ｚには、ドロワ２０３の開放位置を多段階で規制するためのストッパ機構Ｓが設けられている。このストッパ機構Ｓは、ドロワ装置Ｚの装置ケース２０２の両内側面に設けられ、複数の矩形状の穴２２１が形成されたストッパガイド２２２と、ドロワ２０３の奥側に設けられ、ストッパガイド２２２の穴２２１に対して係脱自在に係止するストッパローラ２２３を含むストッパ２２４とにより構成されている。
【００５３】
ストッパ２２４について説明する。図１５に示すように、ドロワ２０３の奥側には、ストッパローラ２２３の支軸２２３ａを中心としてストッパローラ２２３の略半分を露出可能な矩形状の穴２２５が形成されている。また、穴２２５の近傍には、ストッパローラ２２３の支軸２２３ａを回動自在に保持する軸受部２２６も形成されている。そして、ストッパローラ２２３は、支軸２２３ａを軸受部２２６に嵌め込まれるとともに、支持部材２２７を介して取り付けられることにより、穴２２５からドロワ２０３の外側面にその略半分が露出する。支持部材２２７は、一端をネジ２２８でドロワ２０３にネジ止めされる板バネであって、ストッパローラ２２３の支軸２２３ａをドロワ２０３の外側面に向けて付勢した状態で変位自在に支持する。
【００５４】
このような構成により、ドロワ装置Ｚは、ストッパローラ２２３がストッパガイド２２２の穴２２１に係止することで装置ケース２０２から突出するドロワ２０３が途中で停止するようになっている。
【００５５】
次に、紙幣収納部２０７に設けられた上蓋２１８の作用について説明する。図１６（ａ）に示すように、ドロワ２０３は、通常、装置ケース２０２の内部に挿入されている状態にある。このような状態で、キャッシャがＰＯＳ端末を用いて商品売上処理を順次実行するとともに商品売上処理が完了した時点で締め処理を宣言した場合には、ＰＯＳ端末のＣＰＵ等のデータ制御手段は、締め処理を実行するとともに、ドロワ装置Ｚにドロワ開放信号を出力する。
【００５６】
ドロワ開放信号を受信したドロワ装置Ｚのロック機構２１２は、圧縮スプリング２１７の弾発力に抗したドロワ２０３の閉止を解除するので、このドロワ２０３は圧縮スプリング２１７の弾発力で装置ケース２０２から引き出し方向にスライドすることになる。
【００５７】
このようにドロワ２０３が引き出し方向にスライドする場合、紙幣収納部２０７に設けられる上蓋２１８はねじりバネ２２０の付勢力により装置ケース２０２に接触しながら摺動することになるので、その摩擦力によりスライド速度は徐々に低下することになる。そして、ストッパ機構Ｓの作用により、図１６（ｂ）に示すように、ストッパガイド２２２に形成された穴２２１の位置で装置ケース２０２から引き出されたドロワ２０３が停止するようになっている。図１６（ｂ）に示すように、ドロワ２０３の停止位置（半開位置）は、キャッシャから見て最も奥側に位置する紙幣収納部２０７とその手前の硬貨収納部２０５を除いた部分が露出する位置である。このようにすることで、ドロワ２０３の硬貨収納部２０５及び紙幣収納部２０７が露出して金銭の出し入れが自在になる。ここに、半開位置停止手段が実現されている。
【００５８】
また、キャッシャから見て最も奥側に位置する紙幣収納部２０７に顧客から受け取った高額紙幣（例えば、一万円札）を挿入したい場合には、ドロワ２０３を手動により引き出す。ドロワ２０３を手動により引き出すと、ストッパローラ２２３は係止されているストッパガイド２２２の穴２２１を乗越えて次のストッパガイド２２２の穴２２１に係止されることになるので、次の穴２２１の位置で装置ケース２０２から引き出されたドロワ２０３が停止するようになっている。この位置では、図１６（ｃ）に示すように、最も奥側に位置する紙幣収納部２０７と上蓋２１８との間には幅の狭いスリット状の挿入口であるスリットＳ３が生じる。このスリットＳ３が、紙幣収納部２０７に対する紙幣挿入口となる。つまり、この状態において、顧客から受け取った高額紙幣（例えば、一万円札）は、スリットＳ３から紙幣収納部２０７の内部に速やかに収納される。ここにも、半開位置停止手段が実現されている。すなわち、本実施の形態の半開位置停止手段は、引き出し方向に移動するドロワ２０３を複数段階で一旦停止可能とするので、使い勝手が良い。
【００５９】
ところで、ドロワ２０３のキャッシャから見て最も奥側に位置する紙幣収納部２０７に収納されている高額紙幣（例えば、一万円札）を回収する場合には、ドロワ２０３をさらに手動により引き出す。ドロワ２０３をさらに手動により引き出すと、ストッパローラ２２３は係止されているストッパガイド２２２の穴２２１を乗越えるので、図１７に示すように、最も奥側に位置する紙幣収納部２０７を露出させることができる。この場合、上蓋２１８はねじりバネ２２０の付勢力により上方に全開状態となることにより、最も奥側に位置する紙幣収納部２０７に収納されている高額紙幣（例えば、一万円札）を容易に回収することができる。
【００６０】
ここに、ドロワ２０３が半開位置に位置付けられた状態では、上蓋２１８は装置ケース２０２により開放方向を規制されて紙幣収納部２０７との間にスリットＳ３を形成し、ドロワ２０３の全開状態では、上蓋２１８はねじりバネ２２０により紙幣収納部２０７を開放する方向に付勢されて紙幣収納部２０７の内部を露出させる。これにより、ドロワ２０３が半開位置に位置付けられた状態では、紙幣収納部２０７に収納された高額紙幣（例えば、一万円札）を外部に露出させずにスリットＳ３からの紙幣の挿入が許容される。また、ドロワ２０３の全開状態では、上蓋２１８はねじりバネ２２０により紙幣収納部２０７を開放する方向に付勢されるので、紙幣収納部２０７に収納された高額紙幣（例えば、一万円札）を容易に回収することが可能になる。
【００６１】
すなわち、本実施の形態のドロワ装置Ｚは、使い勝手が良く、盗難防止の効果の著しい向上を期待することができる。
【００６２】
【発明の効果】
本発明によれば、使い勝手が良く、盗難防止の効果の著しい向上を期待することができるドロワ装置を提供することができる。
【図面の簡単な説明】
【図１】本発明の第一の実施の形態のドロワ機能付き硬貨払出装置の外観を示す斜視図である。
【図２】ドロワ部の内部構造を示す分解斜視図である。
【図３】上部に配置されるドロワを示す縦断側面図である。
【図４】装置ケースの内部を部分的に示す縦断側面図である。
【図５】ドロワ部のドロワを示し、（ａ）は収納状態を示し、（ｂ）は半開状態を示す縦断側面図である。
【図６】ドロワを半開位置に位置付けた状態のドロワ機能付き硬貨払出装置を示す外観斜視図である。
【図７】全開状態のドロワ部のドロワを示す縦断側面図である。
【図８】本発明の第二の実施の形態のドロワ装置を概略的に示す分解斜視図である。
【図９】ドロワを示す縦断側面図である。
【図１０】ドロワ装置のドロワを示し、（ａ）は収納状態を示し、（ｂ）は半開状態を示す縦断側面図である。
【図１１】全開状態のドロワ装置のドロワを示す縦断側面図である。
【図１２】本発明の第三の実施の形態のドロワ装置を概略的に示す外観斜視図である。
【図１３】ドロワを示す縦断側面図である。
【図１４】ドロワ装置の一部を切り欠いてロック機構を示す説明図である。
【図１５】ストッパ機構を概略的に説明する分解斜視図である。
【図１６】ドロワ装置のドロワを示し、（ａ）は収納状態を示し、（ｂ）は第一の半開状態を示し、（ｃ）は第二の半開状態を示す縦断側面図である。
【図１７】全開状態のドロワ装置のドロワを示す縦断側面図である。
【符号の説明】
１，１０５，２０２…ドロワ筐体、６，１０３，２０３…ドロワ、１４ｂ，１１９ｂ，２０７…収納部、２１，１２４，２１８…上蓋、２３，１２６，２２０…付勢部材、Ａ…硬貨払出部、Ｂ，Ｙ，Ｚ…ドロワ装置、Ｓ１，Ｓ２，Ｓ３…スリット状の挿入口
【図１】
2004030256.tif 000003
【図２】
2004030256.tif 000004
【図３】
2004030256.tif 000005
【図４】
2004030256.tif 000006
【図５】
2004030256.tif 000007
【図６】
2004030256.tif 000008
【図７】
2004030256.tif 000009
【図８】
2004030256.tif 000010
【図９】
2004030256.tif 000011
【図１０】
2004030256.tif 000012
【図１１】
2004030256.tif 000013
【図１２】
2004030256.tif 000014
【図１３】
2004030256.tif 000015
【図１４】
2004030256.tif 000016
【図１５】
2004030256.tif 000017
【図１６】
2004030256.tif 000018
【図１７】
2004030256.tif 000019